(57)【要約】乗客用コンベヤ（２）は、各側縁部で駆動チェーン（８）に接続されるとともに、各駆動チェーン（８）を駆動するための電動モータ（４８）とコンベヤバンド（６）の各側縁部の１台の駆動出力装置（４２）とを含むコンベヤバンド駆動装置（４０）により駆動されるエンドレスコンベヤバンド（６）を含み、コンベヤバンド駆動装置（４０）がコンベヤバンド（６）の側方外側に配置されることを特徴とする。
2006513947.tif 000002
【特許請求の範囲】
【請求項１】
各側縁部で駆動チェーン（８）に接続されるとともに、各駆動チェーン（８）を駆動するための電動モータ（４８）とコンベヤバンド（６）の各側縁部の１台の駆動出力装置（４２）とを含むコンベヤバンド駆動装置（４０）により駆動されるエンドレスコンベヤバンド（６）を含み、
前記コンベヤバンド駆動装置（４０）が、前記コンベヤバンド（６）の側方外側に隣接して配置されることを特徴とする乗客用コンベヤ（２）。
【請求項２】
前記電動モータ（４８）と前記駆動出力装置（４２）との間に接続されるとともに前記コンベヤバンド（６）の側方外側に設けられるように配置されたギヤボックス（５４）を前記コンベヤ駆動装置（４０）が含むことを特徴とする請求項１に記載の乗客用コンベヤ。
【請求項３】
前記出力装置（４２）が同期化シャフト（５８）を介して接続されることを特徴とする請求項１または請求項２に記載の乗客用コンベヤ。
【請求項４】
前記モータ（４８）がブレーキとフライホイール（５０，５２）とを含むことを特徴とする請求項１から請求項３のいずれかに記載の乗客用コンベヤ（２）。
【請求項５】
前記モータの軸が、前記駆動チェーン（８）の走行方向に対してほぼ平行に配置されることを特徴とする請求項１から請求項４のいずれかに記載の乗客用コンベヤ（２）。
【請求項６】
前記モータ（４８）が前記ギヤボックスハウジング（７２）に装着および支持されることを特徴とする請求項１から請求項５のいずれかに記載の乗客用コンベヤ（２）。
【請求項７】
前記ギヤボックスハウジング（７２）に装着されたモータフレーム（７４）に前記モータ（４８）が装着および支持されることを特徴とする請求項１から請求項５のいずれかに記載の乗客用コンベヤ（２）。
【請求項８】
前記出力装置（４２）の間に装着されたトルク支持部材（６８）を含むことを特徴とする請求項１から請求項７のいずれかに記載の乗客用コンベヤ（２）。
【請求項９】
２台の電動モータ（４８）が前記コンベヤバンド（６）の各側縁部に一つずつ設けられることを特徴とする請求項１から請求項８のいずれかに記載の乗客用コンベヤ（２）。
【請求項１０】
前記コンベヤバンド駆動装置（４０）が前記コンベヤバンド（６）の各側に駆動フレーム（６６）を含むことを特徴とする請求項１から請求項９のいずれかに記載の乗客用コンベヤ（２）。
【発明の詳細な説明】
【技術分野】
【０００１】
本発明は、各側縁部で駆動チェーンに接続されるとともに、各駆動チェーンを駆動するための電動モータとコンベヤバンドの各側縁部の少なくとも１台の駆動出力装置とを含むコンベヤバンド駆動装置により駆動されるエンドレスコンベヤバンドを有する、エスカレータや動く歩道などの乗客用コンベヤに関連する。
【背景技術】
【０００２】
この種の乗客用コンベヤは、例えば米国特許第４７７５０４４号明細書から公知である。すなわち、この文献には、反転領域内で回転ステップまたはパレットベルトの内側に設けられた乗客用コンベヤ駆動装置が開示されている。このタイプの乗客用コンベヤでは、場所を取るため望ましくないメンテナンスルームを反転領域に必要とする。コンベヤの全長、つまり端部支持体の間の距離は、コンベヤの導入を決定する際に建築家と建物所有者にとって非常に重要である。そのため、反転領域から離して、コンベヤバンドの往路と復路との間に、このタイプのコンベヤ駆動装置を取り付けることが提案されている。しかし、駆動部品、特に電動モータを中に収容するのに十分な距離が、往路と復路との間に必要である。さらに、部品へアクセスするには１枚以上のステップまたはパレットの分解が必要なので、このようなタイプのコンベヤ駆動装置のメンテナンス性は低い。このような分解は困難で労働力を使う作業であり、このようなステップまたはパレットの破損という結果が頻繁に起こる。
【０００３】
他方、乗客用コンベヤの側方空間も制限されている。空間の占有が一般的な関心事であり、建築家と建物所有者が空間占有により、そしてたいていはこれに基づいてコンベヤの決定を行うという現実があるため、市場で見られる乗客用コンベヤの大部分はステップまたはパレットベルトの幅と比較してほぼ同じ幅を有する。実際に、幅１０００ｍｍのステップベルトを有する現在のエスカレータは、１５００ｍｍの全幅を有し、これは、駆動チェーンとステップ車軸ローラとチェーンローラと各ガイドトラックを収容するのに十分であるとはいえない。
【発明の開示】
【発明が解決しようとする課題】
【０００４】
そのため、全体的な寸法が小型で、コンベヤバンドの往路と復路の長さおよび／または、この間の距離が短い乗客用コンベヤを設けることが本発明の目的である。
【課題を解決するための手段】
【０００５】
本発明によれば、コンベヤバンドの側方外側に配置されたコンベヤバンド駆動装置を有する上記タイプの乗客用コンベヤにより、この目的が達成される。
【０００６】
この設計により、コンベヤバンドの往路と復路の間の距離を大幅に減少させることが可能であり、これは、ガラス製のエスカレータと、片側から側面が見えるような方法で建物に設けられるエスカレータにも、特に好都合である。往路と復路の間に設けられたコンベヤ駆動装置を備えるエスカレータと比較して、アスペクト比つまりエスカレータの傾斜部分の長さと高さの比率がかなり大きいので、この設計の結果、非常に薄型の外観が得られる。
【０００７】
駆動出力部は異なる構造であってもよい。チェーンスプロケットなどでよいが、従動ホイールとアイドラホイールの周囲を移動するエンドレス駆動ベルトを含むベルト駆動装置であることが望ましい。ベルト駆動装置は、乗り心地の向上や騒音発生の低減など、幾つかの理由から好適である。
【０００８】
乗客用コンベヤは、例えば国際公開第０２／４４０７２号Ａ１のパンフレットに記載されているように、「移動」側方フランジ、つまりそれぞれステップおよびパレットとともに移動するフランジを有するタイプであることが望ましい。このタイプのエスカレータや動く歩道では、チェーンの往路と復路の間の空間がほぼ無くなるように、コンベヤバンドの往路ではチェーンの上に、復路ではチェーンの下にステップ案内ローラトラックを容易に設けることが可能である。ほぼこの空間内にコンベヤ駆動装置を設けることが可能である。コンベヤが移動フランジタイプではない場合にもコンベヤ駆動装置をこのように配置することが望ましいのは言うまでもない。コンベヤバンドの往路と復路との間の距離の増加を一般的に必要としないような方法で、コンベヤバンドの往路と復路の間の空間に駆動装置の一部を延在させることが一般的に可能である。
【０００９】
コンベヤ駆動装置はモジュール構造であって、特定のライズ距離または輸送距離に適した駆動力を提供するものであることが望ましい。ゆえに、それぞれの用途に必要とされる数の駆動装置を設けることにより、ライズ距離または輸送距離の長いコンベヤを構築することが容易に可能である。このモジュール駆動装置の原理を用いることにより、ライズ距離および輸送距離の異なるコンベヤを実現するのに一つの専用駆動モジュールのみで充分であるので、製造コストをかなり下げることができる。さらに、いずれにしても一般的には複数の駆動モジュールのために設計される構造であるので、比較的小型のコンベヤに、それぞれがより小型の構造となった複数の駆動モジュールを使用することが可能である。
【００１０】
電動モータは「円筒形」タイプである、つまり直径よりも長く、少なくとも２倍の長さであることが望ましい長手軸に沿った長さを有することが望ましい。
【００１１】
コンベヤ駆動装置は、駆動モータと駆動出力装置との間に接続されたギヤボックスを含むことが望ましい。ギヤボックスは、電動モータの回転速度を出力装置を駆動させるのに必要な速度まで低下させる役割を果たす。ギヤボックス入力部は、モータの出力部に直接に接続されてもよい。あるいは、モータ出力部とギヤボックス入力部との間の若干の偏差に対応するためのカップリングが間に設けられてもよい。
【００１２】
出力装置は、同期化シャフトを介して接続されることが望ましい。出力装置のタイプに応じて、スプロケットまたは駆動ホイールは、同時回転を保証するために同期化シャフトによって相互に結合されることが望ましい。
【００１３】
モータは、フライホイールおよび／またはブレーキを含むことが望ましい。フライホイールおよび／またはブレーキは、非常に小型のユニットを形成するため、モータとともに回転するようにモータ出力部に接続されている。モータ内に組込むことにより、コンベヤ駆動装置の全体的寸法が縮小する。
【００１４】
モータ軸は、駆動チェーンの走行方向に対してほぼ平行に配置される、つまりスプロケットまたは駆動ホイールの回転軸に対してほぼ９０°回転していることが望ましい。このようなモータの配置により、ほぼ駆動チェーンの往路と復路との間にモータを設けることができる。このような構造では、回転軸を９０°回転させるためのハイポイドまたはベベルギヤ装置を含む少なくとも１つのギヤ装置段をギヤボックスが含む。ギヤボックスが二つの減速段、つまりハイポイドまたはベベルの第１段ギヤ装置と平歯またははすばの第２段ギヤ装置を含む場合には、特に好適である。
【００１５】
モータは、ギヤボックスハウジングに装着および支持されることが望ましい。このような構造では、モータとギヤボックスとを実質的に組み合わせてユニットとすることが可能である。このユニットはコンベヤのトラスに容易に装着することができ、コンベヤ駆動装置の組立中に取扱いが容易である。さらにこのような小型構造は必要な空間を縮小するのに役立つ。
【００１６】
ギヤボックスハウジングに装着、また望ましくは支持されたモータフレームに、モータが装着および支持されることが望ましい。この構造のため、フライホイールおよび／またはブレーキを独立部品として含むモータをギヤボックスに容易に取り付けることができる。さらに、一般的には交換を最も必要とする部品であるモータを比較的容易に交換することが可能である。モータ交換の場合のアライメントの要求を軽減するため、特にこのタイプの構造を持つモータ出力部とギヤボックス入力部との間の方向偏差に対応するためのカップリングを設けることが望ましい。
【００１７】
コンベヤ駆動装置の両縁部にある出力装置の間に装着されたトルク支持部材を、コンベヤ駆動装置が含むことが望ましい。このようなトルク部材は、コンベヤ駆動装置が接続されたコンベヤトラスによって伝達されるトルクを軽減するのに適している。２台のコンベヤ駆動装置を相互に直接に接続することにより、構造は一層頑丈となり、駆動装置出力の間の相対的変位量は著しく減少する。
【００１８】
乗客用コンベヤは、コンベヤバンドの各縁部に１台ずつ設けられることが望ましい２台の電動モータを含むことが望ましい。最も好適なモータはそれぞれ、ギヤボックスを介してそれぞれの出力装置に各側で接続される。同様の出力部を持つ単一のモータとギヤボックスとを有する構造と比較すると、モータとギヤボックスがそれぞれ小型となるので、この構造が望ましい。
【００１９】
コンベヤバンド駆動装置は、コンベヤバンドの各側に駆動フレームを含むことが望ましい。駆動チェーンローラガイドトラックを駆動フレームに取り付けることができる。駆動フレームにより、ユニット構造の駆動装置が得られ、コンベヤのトラスへ取り付ける前に駆動装置全体の組立とアライメントが可能になる。
【発明を実施するための最良の形態】
【００２０】
添付の図を参照して、本発明と本発明の実施例を以下により詳細に説明する。
【００２１】
図１は、相互接続された幾つかの踏板要素４で構成されるエンドレス乗客用コンベヤバンド６を備える乗客用コンベヤ２を示す。踏板要素４は、踏板要素の側方にそれぞれ配置されるとともに一連のチェーンリンク１０で構成される駆動チェーン８に接続されている。チェーンリンク１０は、ピボット１２で相互に接続されている。乗客用コンベヤ２は、図２と３に見られるような直線駆動装置４０によってそれぞれ駆動される。この直線駆動装置４０は、鋸歯４６を有するエンドレス回転駆動ベルト４４を含むタイプの駆動出力部４２を有する。駆動ベルト４４の鋸歯４６は、チェーンリンク１０の鋸歯１４と係合する。
【００２２】
図１において、図示された乗客用コンベヤ２はエスカレータで構成される。エスカレータでは、乗客用コンベヤバンド６は階段またはステップベルトと呼ばれ、踏板要素４はステップと呼ばれる。図１には、主として、ステップバンド６と駆動チェーン８とチェーンおよびステップローラ３０，３２のそれぞれが示されている。ゆえにローラガイドトラックなどは図１には図示されていない。ステップ４の一つが乗客用コンベヤベルト６から取り外されている。ステップ４と一緒に動く側方フランジ要素１６を、ステップ４は含む。フランジ要素１６はステップ４にしっかりと締結され、第２タイプのフランジ要素１８は二つのフランジ要素１６の間にそれぞれ配置されている。フランジ要素１６は一般に「フランジ」と呼ばれ、第２タイプのフランジ要素１８は一般に「ブリッジ」と呼ばれる。ブリッジ１８は連続する二つのフランジ１６の間の隙間を埋め、一般的には駆動チェーン１４に接続されている。カバー（図示せず）は、ステップ４のフランジ１６およびブリッジ１８から上部へ向かう欄干に設けられている。
【００２３】
ステップ４は、駆動チェーン８によって回転式に動く。アーム２０に配置されたステップローラ２２は、ステップ４のステップ面２４の位置を制御するのに役立つ。ステップローラ２２はガイドウェイつまりガイドトラック（図示せず）に沿って案内される。各踏板要素４の位置が強制的に画定されるように、ガイドトラックはステップホイール２２のための所定の曲線を辿る。上述したように、一つのステップ４は、ステップ面２４と、「ライザ」とも呼ばれるステップ前面２６とを含む。
【００２４】
駆動チェーン８の各チェーンリンク１０は、ピボット１２において、短い軸ボルト２８によって接続されている。軸ボルト２８の外側にはチェーンホイール３０が回転自在に配置されている。
【００２５】
ステップ４に対して同じように配置された左右のステップチェーン８の２本のチェーンリンク１０は、接続車軸３２により相互にしっかりと接続されている。接続車軸３２はチェーンリンク１０より外方には突出していない。各ステップ４は、駆動チェーン８への接続のための側方保持装置を有する。詳細な構造に関しては、国際公開第０２／４４０７２号Ａ１パンフレットを参照すること。このような構造のため、上端および下端のそれぞれのランディングでの反転領域から離間した箇所でも、ステップベルト６からステップ４を分解することは比較的容易である。
【００２６】
本発明はエスカレータに関して説明されているが、動く歩道にも適用できることに注意すべきである。
【００２７】
図２を参照すると、コンベヤバンド駆動装置４０は、ほぼ円筒形状の電動モータ４８を含む。モータ４８は、各端部にフライホイール５０，５２を含む。フライホイール５０，５２の一方はさらにブレーキ（図示せず）を含み、モータ４８はアライメントカップリングによってギヤボックス５４の入力部へ接続されている。ギヤボックス５４の出力部は、コンベヤバンド６の各側に一つずつある２台の出力装置４２を駆動する。すでに述べたように、駆動ベルト４４の鋸歯４６は駆動チェーン８の鋸歯１４と係合する。
【００２８】
すなわち、同期化シャフト５８を介して相互に接続された駆動出力装置４２の駆動ホイール５６を、ギヤボックスが駆動するのである。アイドラローラ６０は駆動ベルト４６を伸張状態にする。例えば駆動ベルト（図示せず）により駆動力を手すり（図示せず）に伝達するため、手すり駆動ホイール６２がアイドラローラ６０に接続されている。
【００２９】
駆動ホイール５６とアイドラローラ６０との間において駆動ベルト４４の下に配置された一組のバックローラ６４は、駆動ベルト４４の係合長さ全体にわたって鋸歯４６と１４の正確な係合を保証する。各出力装置４２は、駆動フレーム６６に支持されている。一方、駆動フレーム６６はコンベヤ駆動装置４０の各部品を支持し、さらにコンベヤ駆動装置４０をエスカレータトラスへ取り付けるのに役立つ。二つの駆動フレーム６６はトルク支持部材６８によって相互接続されている。トルク支持部材６８は、使用時に二つの駆動出力部４２の相互に対する相対回転を防止するのに役立つ。さらに、エスカレータトラスへの組付けの前とその間においてコンベヤ駆動装置の一体性を保証するための構造部材として役立つ。
【００３０】
また駆動フレーム６６に装着されているのは、ステップチェーンローラガイドトラック７０である。このようなステップチェーンローラガイドトラック７０は、中央のコンベヤバンド６に対して駆動ベルト４４の外側に位置していることに気づくだろう。
【００３１】
ギヤボックス５４は非常に平坦な構造である。ギヤボックスハウジング７２はガイドフレーム６６の構造部品として機能し、モータフレーム７４を支持する。ギヤボックス５４は二段構造であることが望ましい。さらに、潤滑油を収容する密封ハウジング７２を有する。ギヤボックスと潤滑とは、エスカレータの寿命全体を考慮して設計されることが望ましい。ギヤボックス５４の減速が８０：１〜１０：１の範囲内となるように、ギヤボックスはおよそ１０００〜２０００ｒｐｍという電動モータの典型的な速度から１０〜１００ｒｐｍという駆動ホイールの必要速度までの減速を行う。
【００３２】
モータ４８は、ギヤボックスハウジング７２により装着および支持されるモータフレーム７４に固定されている。この実施例によれば、モータ４８はストラップリテーナ７６によりモータフレーム７４に固定されている。ストラップリテーナ７６により、アライメントカップリングを分離した後にコンベヤバンド駆動装置４０からモータ４８を容易に取り外すことができる。すなわち、モータ４８の取外しを簡単にするため、フライホイール５０，５２には溝７８が設けられている。分解トラス（図示せず）のガイドレールが溝７８と協働するように、分解トラスをエスカレータトラスまたはモータフレーム７４に装着することができる。ストラップリテーナ７６とアライメントカップリングを取り外した後、モータ４８を取付位置から容易に回すことができる。逆に、モータ４８をコンベヤバンド駆動装置４０へ取り付けることも容易である。ステップ４の簡単な分解を可能にする図１に示されたような特定のエスカレータタイプと組み合わせることで、本発明のコンベヤはコンベヤバンド６からのメンテナンスが簡単となり、別の機械またはメンテナンスルームが無くて済む。
【００３３】
第２ギヤボックス５４とモータ４８とをコンベヤバンド６の反対側に容易に設けられることに注意すべきである。図３も、図２のコンベヤバンド駆動装置と比較的似ているコンベヤバンド駆動装置４０を示す。図面中の同一の参照番号は、同様または同一の部品を指す。図２と３のコンベヤバンド駆動装置４０の間の主な相違は、電動モータ４８にある。図３の構造では、やはりフライホイール５２とブレーキとを含む電動モータ４８が、ギヤボックス５４のハウジング７２に直接装着されるとともに支持されている。ゆえに、図３によるコンベヤバンド駆動装置４０のモータ４８の分解は、図２の構造よりもいくらか複雑である。
【００３４】
図２と３において、コンベヤバンド駆動装置４０のモジュール構造を容易に理解することができる。一般的に駆動装置４０全体は、駆動チェーン８の上方および下方の走路の間に配置され、駆動チェーンローラ３０と駆動チェーンローラ案内トラック７０とにより必要とされる距離を加えており、同期化シャフト５８とトルク支持横断部材６８のそれぞれのような相互接続部品と、モータ４８とギヤボックス５４のわずかな部分のみがコンベヤバンド６のいくらか下に延在している。
【００３５】
一般的な駆動装置では、モータサイズは１００と１６０ｍｍの間であり、ギヤボックスは入力端部においておよそ１２０ｍｍ、かつ、出力端部においておよそ９０ｍｍのテーパ状の厚さを持つ。本発明のコンベヤバンド駆動装置４０の新たな概念により、従来の設計と比較して、端部支持体の間の距離を増加させず、機械室を必要とせず、コンベヤベルトから側方に追加スペースを必要とせずに、コンベヤバンド６の往路と復路との間の距離を大幅に減少させることができる。この点について、１０００ｍｍの幅を持つ踏板要素４を有するコンベヤについて、従来設計では全幅が１５００ｍｍであったことが分かっている。
【００３６】
一般的なコンベヤ２は、エンドレス経路を通るコンベヤバンド６を有する。このエンドレス経路は、入口部分またはその下の反転部分に始まり、基本的に水平の乗りエリアへ進み、さらに移行領域を通って傾斜部分まで延びる。傾斜部分に続いて、出口部分に隣接するほぼ水平の降りエリアへバンド６を戻す移行領域がさらに設けられている。バンドは、出口反転部を回り、復路を通って、入口反転部まで続く。本発明によるコンベヤバンド駆動装置４０は、傾斜部分に配置されることが望ましい。
【図面の簡単な説明】
【００３７】
【図１】本発明を具体化するのに適した乗客用コンベヤの一部分である。
【図２】本発明によるコンベヤ駆動装置を示す。
【図３】本発明のコンベヤ駆動装置の代替実施例を示す。
【図１】
2006513947.tif 000003
【図２】
2006513947.tif 000004
【図３】
2006513947.tif 000005
【手続補正書】
【提出日】平成16年9月24日(2004.9.24)
【手続補正１】
【補正対象書類名】特許請求の範囲
【補正対象項目名】全文
【補正方法】変更
【補正の内容】
【特許請求の範囲】
【請求項１】
各側縁部で駆動チェーン（８）に接続されるとともに、各駆動チェーン（８）を駆動するための電動モータ（４８）とコンベヤバンド（６）の各側縁部の１台の駆動出力装置（４２）とを含むコンベヤバンド駆動装置（４０）により駆動されるエンドレスコンベヤバンド（６）を含み、
前記駆動チェーン（８）は駆動チェーンローラ（３０）を含みかつ前記駆動チェーン（８）の上側および下側の走路に沿った駆動チェーンローラガイドトラック（７０）に沿って案内され、かつ、
前記コンベヤバンド駆動装置（４０）が、前記コンベヤバンド（６）の側方外側に隣接し、かつ、前記駆動チェーン（８）の前記上側および下側の走路によって画定された空間と、前記駆動チェーンローラ（３０）および前記駆動チェーンローラガイドトラック（７０）に要求された距離と、の中に実質的に配置されることを特徴とする乗客用コンベヤ（２）。
【請求項２】
前記電動モータ（４８）と前記駆動出力装置（４２）との間に接続されるとともに前記コンベヤバンド（６）の側方外側に設けられるように配置されたギヤボックス（５４）を前記コンベヤ駆動装置（４０）が含むことを特徴とする請求項１に記載の乗客用コンベヤ。
【請求項３】
前記出力装置（４２）が同期化シャフト（５８）を介して接続されることを特徴とする請求項１または請求項２に記載の乗客用コンベヤ。
【請求項４】
前記モータ（４８）がブレーキとフライホイール（５０，５２）とを含むことを特徴とする請求項１から請求項３のいずれかに記載の乗客用コンベヤ（２）。
【請求項５】
前記モータの軸が、前記駆動チェーン（８）の走行方向に対してほぼ平行に配置されることを特徴とする請求項１から請求項４のいずれかに記載の乗客用コンベヤ（２）。
【請求項６】
前記モータ（４８）が前記ギヤボックスハウジング（７２）に装着および支持されることを特徴とする請求項１から請求項５のいずれかに記載の乗客用コンベヤ（２）。
【請求項７】
前記ギヤボックスハウジング（７２）に装着されたモータフレーム（７４）に前記モータ（４８）が装着および支持されることを特徴とする請求項１から請求項５のいずれかに記載の乗客用コンベヤ（２）。
【請求項８】
前記出力装置（４２）の間に装着されたトルク支持部材（６８）を含むことを特徴とする請求項１から請求項７のいずれかに記載の乗客用コンベヤ（２）。
【請求項９】
２台の電動モータ（４８）が前記コンベヤバンド（６）の各側縁部に一つずつ設けられることを特徴とする請求項１から請求項８のいずれかに記載の乗客用コンベヤ（２）。
【請求項１０】
前記コンベヤバンド駆動装置（４０）が前記コンベヤバンド（６）の各側に駆動フレーム（６６）を含むことを特徴とする請求項１から請求項９のいずれかに記載の乗客用コンベヤ（２）。
【請求項１１】
前記コンベヤバンド駆動装置（４０）の相互接続部と、前記電動モータ（４８）およびギアボックス（５４）のわずかな部分のみが、前記コンベヤバンド（６）より下に多少延在することを特徴とする請求項１から請求項１０のいずれかに記載の乗客用コンベヤ（２）。
【国際調査報告】
2006513947.tif 000006
2006513947.tif 000007
2006513947.tif 000008